Podtech/llm-jp-corpus-v4-ja_patent huggingface dataset:
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
オーディオシーンを記述したオーディオシーンデータを受信する受信器であって、前記オーディオシーンデータが、空間オーディオ成分を記述したオーディオデータ及び該空間オーディオ成分のうちの少なくとも幾つかに関して前記オーディオシーン内の位置を記述した位置データを有する受信器と、
前記オーディオシーン内の基準位置からの距離を示す可変焦点距離を供給する距離ユニットと、
前記空間オーディオ成分のうちの少なくとも第１空間オーディオ成分の、前記オーディオシーンにおける少なくとも１つの他の空間オーディオ成分に対する知覚強調特性を、前記可変焦点距離と前記オーディオシーンにおける前記基準位置から前記第１空間オーディオ成分の位置までの距離との間の差分を反映する差分尺度に応答して適応させる適応器と、
前記空間オーディオ成分をレンダリングするオーディオレンダラであって、前記レンダリングが前記位置データに応答するものであり、前記第１空間オーディオ成分のレンダリングは、前記適応器が前記知覚強調特性を適応させることに後続するものであるオーディオレンダラと、
を有する、空間オーディオ処理装置。
【請求項２】
前記適応器が、前記知覚強調特性の値を、前記差分尺度の連続関数として決定する、請求項１に記載の空間オーディオ処理装置。
【請求項３】
前記適応器が、前記少なくとも１つの他の空間オーディオ成分に対する前記第１空間オーディオ成分のための利得を、前記差分尺度が減少する差分を示す場合に増加させる、請求項２に記載の空間オーディオ処理装置。
【請求項４】
前記利得が前記差分尺度の関数として決定され、該関数は、前記可変焦点距離より小さい前記基準位置から前記第１空間オーディオ成分の位置までの距離と、前記可変焦点距離より大きい前記基準位置から前記第１空間オーディオ成分の位置までの距離とに関して非対称である、請求項３に記載の空間オーディオ処理装置。
【請求項５】
前記知覚強調特性が前記第１空間オーディオ成分に関する周波数信号分布である、請求項１に記載の空間オーディオ処理装置。
【請求項６】
前記適応器が、前記少なくとも１つの他のオーディオ成分の周波数依存性フィルタ処理を前記差分尺度に応答して変化させる、請求項５に記載の空間オーディオ処理装置。
【請求項７】
前記知覚強調特性が、前記第１空間オーディオ成分に関する拡散特性である、請求項１に記載の空間オーディオ処理装置。
【請求項８】
前記適応器が、前記オーディオシーンにおける前記少なくとも１つの他の空間オーディオ成分に対する前記第１空間オーディオ成分に関する拡散度を、前記差分尺度が減少する差分を示す場合に減少させる、請求項７に記載の空間オーディオ処理装置。
【請求項９】
前記差分尺度が、前記基準位置から前記第１空間オーディオ成分の位置への方向に更に依存する、請求項１に記載の空間オーディオ処理装置。
【請求項１０】
前記オーディオシーンデータが、前記空間オーディオ成分のうちの少なくとも幾つかを表すオーディオオブジェクトを有する、請求項１に記載の空間オーディオ処理装置。
【請求項１１】
前記距離ユニットが、前記可変焦点距離を、聴取者の頭部及び眼の少なくとも一方の追跡に応答して決定する、請求項１に記載の空間オーディオ処理装置。
【請求項１２】
前記適応器が、前記第１空間オーディオ成分に関して前記知覚強調特性を、両耳間時間差を変えることなく適応させる、請求項１に記載の空間オーディオ処理装置。
【請求項１３】
前記適応器は、前記可変焦点距離が前記基準位置から前記第１空間オーディオ成分の位置までの距離より大きい場合に、前記知覚強調特性を増加する差分尺度に対して前記第１空間オーディオ成分の強調を低減するように適応させる、請求項１に記載の空間オーディオ処理装置。
【請求項１４】
オーディオシーンを記述したオーディオシーンデータを受信するステップであって、前記オーディオシーンデータが、空間オーディオ成分を記述したオーディオデータ及び該空間オーディオ成分のうちの少なくとも幾つかに関して前記オーディオシーン内の位置を記述した位置データを有するステップと、
前記オーディオシーン内の基準位置からの距離を示す可変焦点距離を供給するステップと、
前記空間オーディオ成分のうちの少なくとも第１空間オーディオ成分の前記オーディオシーンにおける少なくとも１つの他の空間オーディオ成分に対する知覚強調特性を、前記可変焦点距離と前記オーディオシーンにおける前記基準位置から前記第１空間オーディオ成分の位置までの距離との間の差分を反映する差分尺度に応答して適応させるステップと、
前記知覚強調特性を適応させるステップに続いて、前記第１空間オーディオ成分を含む前記空間オーディオ成分をレンダリングするステップであって、前記レンダリングが前記位置データに応答するものであるステップと、
を有する、空間オーディオ処理のための方法。
【請求項１５】
コンピュータ上で実行された場合に、請求項１４に記載の方法の全てのステップを実行するコンピュータプログラムコード手段を有する、コンピュータプログラム。
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
アクセスポイント(AP)によって実行される方法であって、
いくつかの基本サービスセット(BSS)を複数のBSSから選択するステップであって、前記選択されたいくつかのBSSは、前記複数のBSSのサブセットである、ステップと、
前記選択されたBSSの各々に1つまたは複数のランダムリソースユニット(RU)を割り振るステップと、
前記選択されたBSSの各々への前記1つまたは複数のランダムRUの前記割振りを示すフレームを送信するステップと
を含む方法。
【請求項２】
いくつかの基本サービスセット(BSS)を複数のBSSから選択するための手段であって、前記選択されたいくつかのBSSは、前記複数のBSSのサブセットである、手段と、
前記選択されたBSSの各々に1つまたは複数のランダムリソースユニット(RU)を割り振るための手段と、
前記選択されたBSSの各々への前記1つまたは複数のランダムRUの前記割振りを示すフレームを送信するための手段と
を備える装置。
【請求項３】
前記複数のBSSの各々は、前記APによって動作する、請求項1に記載の方法。
【請求項４】
前記フレームは、前記選択されたBSSを識別する1つまたは複数の値を含むトリガフレームを含む、請求項1に記載の方法、または請求項2に記載の装置。
【請求項５】
前記値の各々は、前記選択されたBSSのうちの対応する1つを識別する関連付け識別情報(AID)を含み、前記AIDは、前記トリガフレームのユーザ単位情報フィールドに記憶される、請求項4に記載の方法、または請求項4に記載の装置。
【請求項６】
前記AIDは、N個の値を含み、前記N個の値は、N個の独立したBSSのうちの対応する1つをそれぞれ識別する0からN-1の範囲の値であり、Nは1よりも大きい整数である、請求項5に記載の方法、または請求項5に記載の装置。
【請求項７】
前記1つまたは複数のランダムRUは、前記選択されたBSSに属するワイヤレスデバイスによってのみ共有されるべき競合ベースのリソースを含む、請求項1に記載の方法、または請求項2に記載の装置。
【請求項８】
前記1つまたは複数のランダムRUのサイズは、前記選択されたBSSに属するいくつかのワイヤレスデバイスの帯域幅に少なくとも部分的に基づく、請求項1に記載の方法、または請求項2に記載の装置。
【請求項９】
前記いくつかのBSSを選択することは、
前記複数のBSSのセキュリティパラメータ、前記複数のBSSに属するワイヤレスデバイスのアクセス特権、前記複数のBSSに属するワイヤレスデバイスのタイプ、前記複数のBSSのサービス品質(QoS)パラメータ、および前記複数のBSSに属するワイヤレスデバイスの遅延要件
のうちの少なくとも1つに基づく、請求項1に記載の方法、または請求項2に記載の装置。
【請求項１０】
前記選択されたBSSのうちの少なくとも1つに属するいくつかのワイヤレスデバイスから、前記フレームによって割り振られた前記1つまたは複数のランダムRU上で、アップリンクデータを受信するステップ
をさらに含む、請求項1に記載の方法。
【請求項１１】
前記装置が、1つまたは複数のプロセッサとメモリとを備えるアクセスポイント(AP)であり、
複数の前記手段が、前記1つまたは複数のプロセッサと、命令を記憶した前記メモリとにより実装され、
前記命令は、前記1つまたは複数のプロセッサによって実行されたとき、前記APに、
いくつかの基本サービスセット(BSS)を複数のBSSから選択することであって、前記選択されたいくつかのBSSは、前記複数のBSSのサブセットである、選択することと、
前記選択されたBSSの各々に1つまたは複数のランダムリソースユニット(RU)を割り振ることと、
前記選択されたBSSの各々への前記1つまたは複数のランダムRUの前記割振りを示すフレームを送信することと
を行わせる、請求項2に記載の装置。
【請求項１２】
前記命令の実行は、前記APにさらに、
前記選択されたBSSのうちの少なくとも1つに属するいくつかのワイヤレスデバイスから、前記フレームによって割り振られた前記1つまたは複数のランダムRU上で、アップリンクデータを受信すること
を行わせる、請求項11に記載のクセスポイント。
【請求項１３】
アクセスポイント(AP)の1つまたは複数のプロセッサによって実行されたとき、前記APに、請求項1および3から10のうちのいずれか一項に記載の方法を実行させる命令を含むコンピュータプログラム。
【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
ＳＥＱ  ＩＤ  ＮＯ：１のアミノ酸２６〜６２０を含む、筋変性障害を処置するためのＮＯＰＥ細胞外ドメイン（ＥＣＤ）ポリペプチド又はＮＯＰＥ  ＥＣＤ融合分子。
【請求項２】
前記筋変性障害は、筋ジストロフィー、筋緊張性ジストロフィー、多発性筋炎、および皮膚筋炎から選択される、請求項１に記載のポリペプチド又は融合分子。
【請求項３】
前記筋変性障害は筋ジストロフィーである、請求項２に記載のポリペプチド又は融合分子。
【請求項４】
前記筋ジストロフィーは、デュシエンヌ型筋ジストロフィー、ベッカー型筋ジストロフィー、先天性筋ジストロフィー（福山）、エメリ・ドレフュス型筋ジストロフィー、肢帯型筋ジストロフィー、および顔面肩甲上腕型筋ジストロフィーから選択される、請求項３に記載のポリペプチド又は融合分子。
【請求項５】
前記筋変性障害は筋緊張性ジストロフィーである、請求項２に記載のポリペプチド又は融合分子。
【請求項６】
前記筋緊張性ジストロフィーは、筋緊張性ジストロフィーＩ型、筋緊張性ジストロフィーＩＩ型、および先天性筋緊張症から選択される、請求項５に記載のポリペプチド又は融合分子。
【請求項７】
ＳＥＱ  ＩＤ  ＮＯ：１のアミノ酸２６〜６２０を含む、ＡＬＳを処置するためのＮＯＰＥ細胞外ドメイン（ＥＣＤ）ポリペプチド又はＮＯＰＥ  ＥＣＤ融合分子。
【請求項８】
ＡＬＳを処置することには、肉体的衰えを低減させること、努力肺活量を改善させること、努力肺活量の低下を緩やかにすること、前記対象のＡＬＳ機能評価スケール（ＡＬＳＦＲＳ）のスコアの低下を緩やかにすること、前記対象のＡＬＳＦＲＳスコアを改善させること、人生を変えるような事象の発生を遅らせること、および前記対象の生存期間を改善させることからなる群から選択される、ＡＬＳの進行を遅らせることの少なくとも１つ、および／または胃瘻（ＰＥＧ）の設置を遅らせることが含まれる、請求項７に記載のポリペプチド又は融合分子。
【請求項９】
Ｉ型遅筋量を増加させるまたは体脂肪量を減少させるためのＮＯＰＥ細胞外ドメイン（ＥＣＤ）ポリペプチド又はＮＯＰＥ  ＥＣＤ融合分子。
【請求項１０】
前記ＮＯＰＥ細胞外ドメイン（ＥＣＤ）ポリペプチドはＮＯＰＥ  ＥＣＤ融合分子である、請求項１〜９の何れか一項に記載のポリペプチド又は融合分子。
【請求項１１】
１００ｎＭ未満のＫＤでミオスタチンと結合することが可能である、および／またはＳＭＡＤ２／３のミオスタチン媒介性活性を阻害する、請求項１〜１０の何れか一項に記載のポリペプチド又は融合分子。
【請求項１２】
ＳＥＱ  ＩＤ  ＮＯ：１のアミノ酸２６〜６２０を含む、請求項９〜１１の何れか一項に記載のポリペプチド又は融合分子。
【請求項１３】
前記ＮＯＰＥ  ＥＣＤ融合分子は、ＮＯＰＥ  ＥＣＤポリペプチドとＦｃを含む、請求項１０に記載のポリペプチド又は融合分子。
【請求項１４】
前記ＮＯＰＥ  ＥＣＤ融合分子は、ＳＥＱ  ＩＤ  ＮＯ：１７の配列を含む、請求項９または１３に記載のポリペプチド又は融合分子。
【請求項１５】
ＳＥＱ  ＩＤ  ＮＯ：１７の配列を含む、ＮＯＰＥ  ＥＣＤ融合分子。
【請求項１６】
請求項１５に記載のＮＯＰＥ  ＥＣＤ融合分子をコードする、ポリヌクレオチド。
【請求項１７】
請求項１６に記載のポリヌクレオチドを含む、ベクター。
【請求項１８】
請求項１７に記載のベクターを含む、宿主細胞。
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
圧縮コアを含む、腸管の領域に医薬活性結合ポリペプチドを経口投与により送達するための固体医薬組成物であって、該圧縮コアが医薬活性結合ポリペプチドを含み、該医薬活性結合ポリペプチドが、該コアの重量に対して40〜75重量％存在し、かつ該圧縮コアが、pH感受性腸溶性コーティングでコーティングされている、前記固体医薬組成物。
【請求項２】
圧縮コアを含む、腸管の領域への経口投与により腸管の疾患の治療において使用するための固体医薬組成物であって、該圧縮コアが医薬活性結合ポリペプチドを含み、該医薬活性結合ポリペプチドが、該コアの重量に対して40〜75重量％存在し、かつ該圧縮コアが、pH感受性腸溶性コーティングでコーティングされている、前記固体医薬組成物。
【請求項３】
圧縮コアを含む、腸管の領域への経口投与により腸管の疾患の治療において使用するための固体医薬組成物であって、該圧縮コアが：
(i) 該コアの重量に対して40〜75重量％存在する医薬活性結合ポリペプチド、
(ii) 1以上の圧縮助剤、
(iii) 1以上の崩壊剤、を含み、かつ該圧縮コアが、pH感受性腸溶性コーティングでコーティングされている、前記固体医薬組成物。
【請求項４】
圧縮コアを含む、腸管の領域への経口投与により腸管の疾患の治療において使用するための固体医薬組成物であって、該圧縮コアが：
(i) 該コアの重量に対して40〜75重量％存在する医薬活性結合ポリペプチド、
(ii) 該コアの重量に対して20〜55重量％存在する1以上の圧縮助剤、
(iii) 該コアの重量に対して2〜6重量％存在する1以上の崩壊剤、を含み、かつ該圧縮コアが、pH感受性腸溶性コーティングでコーティングされている、前記固体医薬組成物。
【請求項５】
前記pH感受性腸溶性コーティングが、腸管の領域に曝露された際に医薬活性結合ポリペプチドを放出する、請求項1〜4のいずれか1項記載の医薬組成物、又は使用のための医薬組成物。
【請求項６】
クロスポビドンなどの合成ポリマー、スクロース、グルコース、ラクトース、及びフルクトースなどの糖、マンニトール、キシリトール、マルチトール、エリスリトール、ソルビトールなどの糖アルコール、結晶性セルロース、微結晶性セルロース、粉末化セルロース、ヒドロキシプロピルセルロース、及びメチルセルロースのようなセルロースなどの水溶性多糖、デンプン、ポリビニルピロリドン、デンプングリコール酸ナトリウム、クロスポビドンなどの合成ポリマー、並びに炭酸カルシウムなどの無機化合物からなるリストから選択される1以上の圧縮助剤を含む、請求項1〜5のいずれか1項記載の医薬組成物、又は使用のための医薬組成物。
【請求項７】
カルボキシメチルセルロース、カルボキシメチルセルロースナトリウム、クロスカルメロースナトリウム、低置換度ヒドロキシプロピルセルロースなどのセルロース、カルボキシメチルデンプンナトリウム、ヒドロキシプロピルデンプン、コメデンプン、コムギデンプン、バレイショデンプン、トウモロコシデンプン、部分アルファ化デンプンなどのデンプンからなるリストから選択される1以上の崩壊剤を含む、請求項1〜6のいずれか1項記載の医薬組成物、又は使用のための医薬組成物。
【請求項８】
ベヘン酸グリセリル、ステアリン酸カルシウム；ステアリン酸マグネシウム；ステアリン酸亜鉛などのステアリン酸塩、鉱油、ポリエチレングリコール、ラウリル硫酸ナトリウム、ステアリルフマル酸ナトリウム、トウモロコシデンプン；バレイショデンプン；アルファ化デンプン；タピオカデンプン；コムギデンプンなどのデンプン、ステアリン酸、タルク、植物油、及びステアリン酸亜鉛からなるリストから選択される1以上の滑沢剤を含む、請求項1〜7のいずれか1項記載の医薬組成物、又は使用のための医薬組成物。
【請求項９】
前記コアの重量に対して0.1〜2重量％、例えば約1重量％存在する1以上の滑沢剤を含む、請求項1〜8のいずれか1項記載の医薬組成物、又は使用のための医薬組成物。
【請求項１０】
前記医薬活性結合ポリペプチドが、前記コアの重量に対して約50重量％〜60重量％存在する、請求項1〜9のいずれか1項記載の医薬組成物、又は使用のための医薬組成物。
【請求項１１】
前記pH感受性腸溶性コーティングが、10〜300μmの厚さを有している、請求項1〜10のいずれか1項記載の医薬組成物、又は使用のための医薬組成物。
【請求項１２】
前記pH感受性腸溶性コーティングが、1以上の可塑剤、粘着防止剤、及び界面活性剤と一緒にpH感受性腸溶性ポリマーコートを含み、又はこれらからなる、請求項1〜11のいずれか1項記載の医薬組成物、又は使用のための医薬組成物。
【請求項１３】
前記医薬活性結合ポリペプチドの分子量が5〜200 kDであり、及び/又は
前記医薬活性結合ポリペプチドが、10 mg/mL超、例えば30 mg/mL超の水溶性を有する、
請求項1〜12のいずれか1項記載の医薬組成物、又は使用のための医薬組成物。
【請求項１４】
前記医薬活性結合ポリペプチドが免疫グロブリンである、請求項1〜13のいずれか1項記載の医薬組成物、又は使用のための医薬組成物。
【請求項１５】
前記医薬活性結合ポリペプチドが、VH又はVHHである、請求項14項記載の医薬組成物、又は使用のための医薬組成物。
【請求項１６】
前記医薬活性結合ポリペプチドが、配列番号:1〜28のいずれか一つのものを含む、請求項14又は15記載の医薬組成物、又は使用のための医薬組成物。
【請求項１７】
前記医薬活性結合ポリペプチドが、配列番号:1〜28のいずれか一つのものからなる、請求項16記載の医薬組成物、又は使用のための医薬組成物。
【請求項１８】
薬局方収載の腸溶性コーティング試験でアッセイする際に、前記医薬組成物が2時間後に前記医薬活性結合ポリペプチドを10重量％未満放出し、
薬局方収載の溶解性試験でアッセイする際に、前記医薬組成物が、
(i) 30分後に前記医薬活性結合ポリペプチドの10〜40重量％を、
(ii) 60分後に該医薬活性結合ポリペプチドの30〜60重量％を、及び
(iii) 120分後に該医薬活性結合ポリペプチドの60重量％以上を放出する、又は
動的溶解性試験でアッセイする際に、前記医薬組成物の放出の開始が90〜210分で起こり、該医薬組成物が、
(i) 放出の開始から60分後に前記医薬活性結合ポリペプチドの10〜30重量％を、
(ii) 放出の開始から120分後に該医薬活性結合ポリペプチドの40〜70重量％を、及び
(iii) 放出の開始から180分後に該医薬活性結合ポリペプチドの60重量％以上を放出する、請求項1〜17のいずれか1項記載の医薬組成物、又は使用のための医薬組成物。
【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
ガラス炭酸飲料容器であって、
開口を画定する上端と、密封ベース端と、前記上端およびベース端の間に延在する側壁構造とを有する本体構造であって、前記側壁構造が内面と外面とを有し、前記内面が内部空間を画定する本体構造と、
前記側壁構造の前記外面の少なくとも一部の保護コーティングであって、ダイヤモンド状炭素を含む保護コーティングと
を含み、
前記ガラス炭酸飲料容器が実質的に透明である、ガラス炭酸飲料容器。
【請求項２】
前記保護コーティングが、高エネルギー蒸着プロセスを介して前記外面の前記少なくとも一部に施される、請求項１に記載のガラス炭酸飲料容器。
【請求項３】
前記保護コーティングが、前記上端の少なくとも一部、前記ベース端の少なくとも一部、または両方にある、請求項１又は２に記載のガラス炭酸飲料容器。
【請求項４】
前記保護コーティングが、１つまたは複数のドーパントをさらに含む、請求項１から３のいずれか一項に記載のガラス炭酸飲料容器。
【請求項５】
前記ガラス炭酸飲料容器が、最大でまたは約０．２５の摩擦係数を有する、請求項１から４のいずれか一項に記載のガラス炭酸飲料容器。
【請求項６】
約３０回の腐食性洗浄後に、前記ガラス炭酸飲料容器が、最大でまたは約０．２５の摩擦係数を有する、請求項１から４のいずれか一項に記載のガラス炭酸飲料容器。
【請求項７】
前記ガラス炭酸飲料容器が、前記保護コーティングの無い比較ガラス容器より少ない擦傷を有する、請求項１から６のいずれか一項に記載のガラス炭酸飲料容器。
【請求項８】
前記保護コーティングが、約０．０１μｍ〜約１０μｍの厚さを有する、請求項１から７のいずれか一項に記載のガラス炭酸飲料容器。
【請求項９】
前記保護コーティングが、約０．０１μｍ〜約０．０５μｍの厚さを有する、請求項１から７のいずれか一項に記載のガラス炭酸飲料容器。
【請求項１０】
ガラス炭酸飲料容器の機械的強度を高めるための方法であって、前記方法が、
開口を画定する上端と、密封ベース端と、前記上端およびベース端の間に延在する側壁構造とを有する本体構造であって、前記側壁構造が内面と外面とを有し、前記内面が内部空間を画定する本体構造を提供することと、
前記側壁構造の前記外面の少なくとも一部に保護コーティングを蒸着することであって、前記保護コーティングがダイヤモンド状炭素を含む、蒸着することと
を含み、
前記ガラス炭酸飲料容器が実質的に透明である、方法。
【請求項１１】
前記保護コーティングが、高エネルギー蒸着プロセスを介して前記外面の前記少なくとも一部に施される、請求項１０に記載の方法。
【請求項１２】
前記保護コーティングが、前記上端の少なくとも一部、前記ベース端の少なくとも一部、または両方にある、請求項１０又は１１に記載の方法。
【請求項１３】
前記保護コーティングが、１つまたは複数のドーパントをさらに含む、請求項１０から１２のいずれか一項に記載の方法。
【請求項１４】
前記ガラス炭酸飲料容器が、最大でまたは約０．２５の摩擦係数を有する、請求項１０から１３のいずれか一項に記載の方法。
【請求項１５】
約３０回の腐食性洗浄後に、前記ガラス炭酸飲料容器が、最大でまたは約０．２５の摩擦係数を有する、請求項１０から１３のいずれか一項に記載の方法。
【請求項１６】
前記ガラス炭酸飲料容器が、前記保護コーティングの無い比較ガラス容器より少ない擦傷を有する、請求項１０から１５のいずれか一項に記載の方法。
【請求項１７】
前記保護コーティングが、約０．０１μｍ〜約１０μｍの厚さを有する、請求項１０から１６のいずれか一項に記載の方法。
【請求項１８】
前記保護コーティングが、約０．０１μｍ〜約０．０５μｍの厚さを有する、請求項１０から１６のいずれか一項に記載の方法。
【請求項１９】
ポリエチレンテレフタレート（ＰＥＴ）炭酸飲料容器であって、
開口を画定する上端と、密封ベース端と、前記上端およびベース端の間に延在する側壁構造とを有する本体構造であって、前記側壁構造が内面と外面とを有し、前記内面が内部空間を画定する本体構造と、
前記側壁構造の前記外面の少なくとも一部の保護コーティングであって、ダイヤモンド状炭素を含む保護コーティングと
を含む、ポリエチレンテレフタレート（ＰＥＴ）炭酸飲料容器。
【請求項２０】
前記保護コーティングが、高エネルギー蒸着プロセスを介して前記外面の前記少なくとも一部に施される、請求項１９に記載のＰＥＴ炭酸飲料容器。
【請求項２１】
前記保護コーティングが、前記上端の少なくとも一部、前記ベース端の少なくとも一部、または両方にある、請求項１９又は２０に記載のＰＥＴ炭酸飲料容器。
【請求項２２】
前記保護コーティングが、１つまたは複数のドーパントをさらに含む、請求項１９から２１のいずれか一項に記載のＰＥＴ炭酸飲料容器。
【請求項２３】
前記ＰＥＴ炭酸飲料容器が、最大でまたは約０．２５の摩擦係数を有する、請求項１９から２２のいずれか一項に記載のＰＥＴ炭酸飲料容器。
【請求項２４】
前記ＰＥＴ炭酸飲料容器が、前記保護コーティングの無い比較ＰＥＴ容器より少ない擦傷を有する、請求項１９から２３のいずれか一項に記載のＰＥＴ炭酸飲料容器。
【請求項２５】
前記保護コーティングが、約０．０１μｍ〜約１０μｍの厚さを有する、請求項１９から２４のいずれか一項に記載のＰＥＴ炭酸飲料容器。
【請求項２６】
前記保護コーティングが、約０．０１μｍ〜約０．０５μｍの厚さを有する、請求項１９から２４のいずれか一項に記載の方法。
【請求項２７】
ポリエチレンテレフタレート（ＰＥＴ）炭酸飲料容器の機械的強度を高めるための方法であって、前記方法が、
開口を画定する上端と、密封ベース端と、前記上端およびベース端の間に延在する側壁構造とを有する本体構造であって、前記側壁構造が内面と外面とを有し、前記内面が内部空間を画定する本体構造を提供することと、
前記側壁構造の前記外面の少なくとも一部に保護コーティングを蒸着することであって、前記保護コーティングがダイヤモンド状炭素を含む、蒸着することと
を含む方法。
【請求項２８】
前記保護コーティングが、高エネルギー蒸着プロセスを介して前記外面の前記少なくとも一部に施される、請求項２７に記載の方法。
【請求項２９】
前記保護コーティングが、前記上端の少なくとも一部、前記ベース端の少なくとも一部、または両方にある、請求項２７又は２８に記載の方法。
【請求項３０】
前記保護コーティングがドーパントをさらに含む、請求項２７から２９のいずれか一項に記載の方法。
【請求項３１】
前記ＰＥＴ炭酸飲料容器が、最大でまたは約０．２５の摩擦係数を有する、請求項２７から３０のいずれか一項に記載の方法。
【請求項３２】
前記ＰＥＴ炭酸飲料容器が、前記保護コーティングの無い比較ＰＥＴ容器より少ない擦傷を有する、請求項２７から３１のいずれか一項に記載の方法。
【請求項３３】
前記保護コーティングが、約０．０１μｍ〜約１０μｍの厚さを有する、請求項２７から３２のいずれか一項に記載の方法。
【請求項３４】
前記保護コーティングが、約０．０１μｍ〜約０．０５μｍの厚さを有する、請求項２７から３２のいずれか一項に記載の方法。
【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
被験者におけるＢ細胞悪性腫瘍を処置するための細胞を調製する方法であって、ｉ）被験者から得られた悪性Ｂ細胞の試料を準備する工程、ｉｉ）工程ｉ）の試料から悪性Ｂ細胞の集団を単離及び培養する工程、並びにｉｉｉ）工程ｉｉ）の悪性Ｂ細胞の集団において、ＣＤ７０ポリペプチドをコードする核酸分子を導入する工程を含む、方法。
【請求項２】
Ｂ細胞悪性腫瘍が、非ホジキンリンパ腫、バーキットリンパ腫、小リンパ球性リンパ腫、原発性滲出性リンパ腫、びまん性大細胞型Ｂ細胞リンパ腫、脾臓周辺帯リンパ腫、ＭＡＬＴ（粘膜関連リンパ組織）リンパ腫、有毛細胞白血病、慢性リンパ球性白血病、Ｂ細胞前リンパ球性白血病、Ｂ細胞リンパ腫、様々な病型のホジキン病、Ｂ細胞非ホジキンリンパ腫（ＮＨＬ）及び関連したリンパ腫、ワルデンストレームマクログロブリン血症（リンパ形質細胞性リンパ腫又は免疫細胞腫とも呼ばれる）、中枢神経系のリンパ腫、白血病、急性リンパ芽球性白血病（ＡＬＬ）、慢性リンパ球性白血病（ＣＬＬ；Ｂ細胞慢性リンパ球性白血病ＢＣＬＬとも呼ばれる）、慢性骨髄芽球性白血病、骨髄腫、多発性骨髄腫、リンパ形質細胞性リンパ腫、形質細胞骨髄腫、骨の孤立性形質細胞腫、骨外性形質細胞腫、粘膜関連リンパ組織（ＭＡＬＴ）の節外性周辺帯Ｂ細胞リンパ腫、結節性周辺帯Ｂ細胞リンパ腫、濾胞性リンパ腫、マントル細胞リンパ腫、縦隔（胸腺）大細胞型Ｂ細胞リンパ腫、血管内大細胞型Ｂ細胞リンパ腫、グレイゾーンリンパ腫、悪性度不明なＢ細胞増殖、リンパ腫様肉芽腫症、並びに移植後リンパ増殖性障害からなる群より選択される、請求項１記載の方法。
【請求項３】
Ｂ細胞リンパ腫が、エプシュタイン・バーウイルス（ＥＢＶ）によって引き起こされる、請求項２記載の方法。
【請求項４】
Ｂ細胞リンパ腫が、ＣＤ７０をコードする遺伝子における突然変異に伴うびまん性大細胞型Ｂ細胞リンパ腫である、請求項２記載の方法。
【請求項５】
悪性Ｂ細胞が、配列番号１に対して少なくとも９０％の同一性を有するアミノ酸配列を含むポリペプチドをコードする核酸分子を用いて形質転換される、請求項１記載の方法。
【請求項６】
核酸分子の導入が、レトロウイルスベクターを用いて行なわれる、請求項５記載の方法。
【請求項７】
ＣＤ７０ポリペプチドをコードする核酸分子を用いて形質転換された悪性Ｂ細胞の集団を含む、ワクチン組成物。
【請求項８】
悪性Ｂ細胞が、配列番号１に対して少なくとも９０％の同一性を有するアミノ酸配列を含むポリペプチドをコードする核酸分子を用いて形質転換されている、請求項７記載のワクチン組成物。
【請求項９】
Ｂ細胞悪性腫瘍の処置に使用するための、請求項７記載のワクチン組成物。
【請求項１０】
Ｂ細胞悪性腫瘍が、非ホジキンリンパ腫、バーキットリンパ腫、小リンパ球性リンパ腫、原発性滲出性リンパ腫、びまん性大細胞型Ｂ細胞リンパ腫、脾臓周辺帯リンパ腫、ＭＡＬＴ（粘膜関連リンパ組織）リンパ腫、有毛細胞白血病、慢性リンパ球性白血病、Ｂ細胞前リンパ球性白血病、Ｂ細胞リンパ腫、様々な病型のホジキン病、Ｂ細胞非ホジキンリンパ腫（ＮＨＬ）及び関連したリンパ腫、ワルデンストレームマクログロブリン血症（リンパ形質細胞性リンパ腫又は免疫細胞腫とも呼ばれる）、中枢神経系のリンパ腫、白血病、急性リンパ芽球性白血病（ＡＬＬ）、慢性リンパ球性白血病（ＣＬＬ；Ｂ細胞慢性リンパ球性白血病ＢＣＬＬとも呼ばれる）、慢性骨髄芽球性白血病、骨髄腫、多発性骨髄腫、リンパ形質細胞性リンパ腫、形質細胞骨髄腫、骨の孤立性形質細胞腫、骨外性形質細胞腫、粘膜関連リンパ組織（ＭＡＬＴ）の節外性周辺帯Ｂ細胞リンパ腫、結節性周辺帯Ｂ細胞リンパ腫、濾胞性リンパ腫、マントル細胞リンパ腫、縦隔（胸腺）大細胞型Ｂ細胞リンパ腫、血管内大細胞型Ｂ細胞リンパ腫、グレイゾーンリンパ腫、悪性度不明なＢ細胞増殖、リンパ腫様肉芽腫症、並びに移植後リンパ増殖性障害からなる群より選択される、請求項９記載のワクチン組成物。
【請求項１１】
Ｂ細胞リンパ腫が、エプシュタイン・バーウイルス（ＥＢＶ）によって引き起こされる、請求項１０記載のワクチン組成物。
【請求項１２】
Ｂ細胞リンパ腫が、ＣＤ７０をコードする遺伝子における突然変異に伴うびまん性大細胞型Ｂ細胞リンパ腫である、請求項１０記載のワクチン組成物。
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
１７−クロロ−５，１３，１４，２２−テトラメチル−２８−オキサ−２，９−ジチア−５，６，１２，１３，２２−ペンタアザヘプタシクロ［２７．７．１．１４，７．０１１，１５．０１６，２１．０２０，２４．０３０，３５］オクタトリアコンタ−１（３７），４（３８），６，１１，１４，１６，１８，２０，２３，２９，３１，３３，３５−トリデカエン−２３−カルボン酸（式Ｉ）である化合物
【化１】
2019514863.tif 000001
又はその薬学的に許容できる塩。
【請求項２】
請求項１に記載の化合物。
【請求項３】
請求項１に記載の化合物の薬学的に許容できる塩。
【請求項４】
式Ｉの化合物が、（Ｒａ）−１７−クロロ−５，１３，１４，２２−テトラメチル−２８−オキサ−２，９−ジチア−５，６，１２，１３，２２−ペンタアザヘプタシクロ［２７．７．１．１４，７．０１１，１５．０１６，２１．０２０，２４．０３０，３５］オクタトリアコンタ−１（３７），４（３８），６，１１，１４，１６，１８，２０，２３，２９，３１，３３，３５−トリデカエン−２３−カルボン酸（式ＩＩ）
【化２】
2019514863.tif 000002
又はその薬学的に許容できる塩の構造を有する、請求項１に記載の化合物又はその薬学的に許容できる塩。
【請求項５】
請求項４に記載の化合物。
【請求項６】
請求項４に記載の化合物の薬学的に許容できる塩。
【請求項７】
式Ｉの化合物が、（Ｓａ）−１７−クロロ−５，１３，１４，２２−テトラメチル−２８−オキサ−２，９−ジチア−５，６，１２，１３，２２−ペンタアザヘプタシクロ［２７．７．１．１４，７．０１１，１５．０１６，２１．０２０，２４．０３０，３５］オクタトリアコンタ−１（３７），４（３８），６，１１，１４，１６，１８，２０，２３，２９，３１，３３，３５−トリデカエン−２３−カルボン酸（式ＩＩＩ）
【化３】
2019514863.tif 000003
又はその薬学的に許容できる塩の構造を有する、請求項１に記載の化合物又はその薬学的に許容できる塩。
【請求項８】
請求項７に記載の化合物。
【請求項９】
請求項７に記載の化合物の薬学的に許容できる塩。
【請求項１０】
結晶形態の、請求項１〜９のいずれか一項に記載の化合物又はその薬学的に許容できる塩。
【請求項１１】
（Ｒａ）−１７−クロロ−５，１３，１４，２２−テトラメチル−２８−オキサ−２，９−ジチア−５，６，１２，１３，２２−ペンタアザヘプタシクロ［２７．７．１．１４，７．０１１，１５．０１６，２１．０２０，２４．０３０，３５］オクタトリアコンタ−１（３７），４（３８），６，１１，１４，１６，１８，２０，２３，２９，３１，３３，３５−トリデカエン−２３−カルボン酸（式ＩＩ）
【化４】
2019514863.tif 000004
又はその薬学的に許容できる塩の固体形態。
【請求項１２】
固体形態が、約７．０°、８．４°、及び１２．５°から選択される２θ（±０．２°）として表される少なくとも１つのピークを含むＸＲＰＤパターンを有する形態Ａ（Ｒａ）−１７−クロロ−５，１３，１４，２２−テトラメチル−２８−オキサ−２，９−ジチア−５，６，１２，１３，２２−ペンタアザヘプタシクロ［２７．７．１．１４，７．０１１，１５．０１６，２１．０２０，２４．０３０，３５］オクタトリアコンタ−１（３７），４（３８），６，１１，１４，１６，１８，２０，２３，２９，３１，３３，３５−トリデカエン−２３−カルボン酸一水和物である、請求項１１に記載の固体形態。
【請求項１３】
固体形態が、約５．４°、７．０°、８．４°、１０．７°、１２．５°、１３．１°、１４．４°、１５．１°、１５．６°、１７．１°、及び１８．２°から選択される２θ（±０．２°）として表される少なくとも１つのピークを含むＸＲＰＤパターンを有する、請求項１２に記載の固体形態。
【請求項１４】
固体形態が、下記図１：
【化５】
2019514863.tif 000005
に実質的に類似なＸＲＰＤパターンを有する、請求項１２に記載の固体形態。
【請求項１５】
固体形態が、約１２１℃での脱溶媒和開始及び約１５２℃でのピークを有する吸熱を含むＤＳＣサーモグラムを有する、請求項１２に記載の固体形態。
【請求項１６】
固体形態が、約１８１℃での融解／分解開始及び約１９４℃でのピークを有する吸熱を含むＤＳＣサーモグラムを有する、請求項１２に記載の固体形態。
【請求項１７】
固体形態が、下記図２：
【化６】
2019514863.tif 000006
に実質的に類似なＤＳＣパターンを有する、請求項１２に記載の固体形態。
【請求項１８】
固体形態が、約２５℃から約１６０℃への加熱時に約４．０％の質量減少を示すＴＧＡサーモグラムを有する、請求項１２に記載の固体形態。
【請求項１９】
下記図２：
【化７】
2019514863.tif 000007
に実質的に類似なＴＧＡパターンを有する、請求項１２に記載の固体形態。
【請求項２０】
請求項１〜１９のいずれか一項に記載の化合物又はその薬学的に許容できる塩及び医薬賦形剤、担体、若しくは希釈剤を含む医薬組成物。
【請求項２１】
癌の治療のための、請求項１〜１９のいずれか一項に記載の化合物又はその薬学的に許容できる塩及び医薬賦形剤、担体、若しくは希釈剤を含む医薬組成物。
【請求項２２】
癌が、血液系癌または固形腫瘍である、請求項２１に記載の医薬組成物。
【請求項２３】
血液系癌が、急性骨髄性白血病、多発性骨髄腫、マントル細胞リンパ腫、慢性リンパ球性白血病、びまん性大細胞型Ｂ細胞リンパ腫、バーキットリンパ腫、および濾胞性リンパ腫から選択される、請求項２２に記載の医薬組成物。
【請求項２４】
固形腫瘍が、非小細胞肺癌、小細胞肺癌、乳癌、神経芽細胞腫、前立腺癌、メラノーマ、膵臓癌、子宮癌、子宮内膜癌、及び結腸癌から選択される、請求項２２に記載の医薬組成物。
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
医薬としての使用のための、[FWYHT]-X(2)-[VILM]-X(2)-[FWYHT][配列番号60]配列モチーフを有する抗原のCD1d結合ペプチドエピトープと、前記エピトープに直接接している又は前記エピトープから最大で7アミノ酸により隔てられた[HW]-X(0,2)-C-X(2)-[CST]([配列番号1]、[配列番号2]、[配列番号3])、若しくは[CST]-X(2)-C-X(0,2)-[HW]([配列番号4]、[配列番号5]、[配列番号6])レドックスモチーフ配列とを含む12〜100アミノ酸の単離免疫原性ペプチドであって、但し、前記ペプチドが、その配列中にMHCクラスII T細胞エピトープを含有しない、ペプチド。
【請求項２】
前記抗原が、その配列中、前記レドックスモチーフの10アミノ酸の距離内に前記CD1d結合ペプチドモチーフを含有しない、請求項1に規定の使用のための、請求項1に記載のペプチド。
【請求項３】
CD1d結合ペプチド配列モチーフが、[FWY]-X(2)-[VILM]-X(2)-[FWY][配列番号63]である、請求項1に規定の使用のための、請求項1又は2に記載のペプチド。
【請求項４】
レドックスモチーフが、[HW]-C-X(2)-[CST][配列番号1]又は[CST]-X(2)-C-[HW][配列番号4]である、請求項1に規定の使用のための、請求項1から3のいずれか一項に記載のペプチド。
【請求項５】
レドックスモチーフが、[HW]-C-X(2)-C[配列番号7]又はC-X(2)-C-[HW][配列番号10]である、請求項1に規定の使用のための、請求項1から4のいずれか一項に記載のペプチド。
【請求項６】
レドックスモチーフが、H-C-X(2)-C[配列番号48]又はC-X(2)-C-H[配列番号42]である、請求項1に規定の使用のための、請求項1から5のいずれか一項に記載のペプチド。
【請求項７】
前記ペプチドが、12〜50アミノ酸の長さを有する、請求項1に規定の使用のための、請求項1から6のいずれか一項に記載のペプチド。
【請求項８】
[FWYHT]-X(2)-[VILM]-X(2)-[FWYHT][配列番号60]配列モチーフを有する抗原のCD1d結合ペプチドエピトープと、前記エピトープに直接接している又は前記エピトープから最大で7アミノ酸により隔てられた[HW]-X(0,2)-C-X(2)-[CST]([配列番号1]、[配列番号2]、[配列番号3])若しくは[CST]-X(2)-C-X(0,2)-[HW]([配列番号4]、[配列番号5]、[配列番号6])レドックスモチーフ配列とを含む12〜100アミノ酸の単離免疫原性ペプチドであって、但し、前記ペプチドが、その配列中にMHCクラスII T細胞エピトープを含有しない、ペプチド。
【請求項９】
前記抗原が、その配列中、前記エピトープの10アミノ酸の距離内に前記レドックスモチーフを含有しないことを条件とする、請求項8に記載のペプチド。
【請求項１０】
前記ペプチドが、12〜50アミノ酸の長さを有する、請求項8又は9に記載のペプチド。
【請求項１１】
レドックスモチーフ配列が、[HW]-C-X(2)-[CST][配列番号1]又は[CST]-X(2)-C-[HW][配列番号4]である、請求項8から10のいずれか一項に記載のペプチド。
【請求項１２】
レドックスモチーフ配列が、H-C-X(2)-[CST][配列番号101]又は[CST]-X(2)-C-H[配列番号102]である、請求項8から11のいずれか一項に記載のペプチド。
【請求項１３】
レドックスモチーフが、H-C-X(2)-C[配列番号48]又はC-X(2)-C-H[配列番号42]である、請求項8から12のいずれか一項に記載のペプチド。
【請求項１４】
結合ペプチドエピトープを有する抗原を提示する細胞に対して細胞溶解性であるNKT細胞の集団を得るための方法であって、
-  末梢血細胞を提供する工程と、
-  前記細胞を、[FWYHT]-X(2)-[VILM]-X(2)-[FWYHT][配列番号60]配列モチーフを有する抗原のCD1d結合ペプチドエピトープと、前記エピトープに直接接している又は前記エピトープから最大で7アミノ酸により隔てられた[HW]-X(0,2)-C-X(2)-[CST]([配列番号1]、[配列番号2]、[配列番号3])若しくは[CST]-X(2)-C-X(0,2)-[HW]([配列番号4]、[配列番号5]、[配列番号6])レドックスモチーフ配列とを含み、前記ペプチドがその配列中にMHCクラスII T細胞エピトープを含有しない12〜100アミノ酸の免疫原性ペプチドと、インビトロで接触させる工程と、
-  前記細胞をIL-2の存在下で拡大する工程と
を含む方法。
【請求項１５】
ペプチドを調製するための方法であって、
-  [FWYHT]-X(2)-[VILM]-X(2)-[FWYHT][配列番号60]配列モチーフを有する配列を抗原内で同定する工程と、
-  上記の同定された配列と、直接接している又はそこから最大で7アミノ酸により隔てられた[HW]-X(0,2)-C-X(2)-[CST]([配列番号1]、[配列番号2]、[配列番号3])若しくは[CST]-X(2)-C-X(0,2)-[HW]([配列番号4]、[配列番号5]、[配列番号6])レドックスモチーフ配列とを含む、12〜100アミノ酸のペプチドを調製する工程と
を含み、但し、調製された配列がその配列中にMHCクラスII T細胞エピトープを含有しない、方法。
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
Aがサポニンファミリーの界面活性剤であり、およびBがシリカの前駆体であるような成分AとBから調製されるメソポーラスシリカであって、前記シリカは１重量％〜３０重量％の界面活性剤Aを含む、メソポーラスシリカ。
【請求項２】
該メソポーラス（メソ細孔ともいう）が、Barrett,、JoynerおよびHalenda （BJH）の方法による液体窒素温度（77K）で窒素吸着等温線から計算される、最小直径が1nmである請求項１に記載のメソポーラスシリカ。
【請求項３】
Barrett、Joyner およびHalenda (BJH)の方法による液体窒素温度（77K）における窒素吸着等温線から計算されるシリカの細孔容積が、少なくとも0.1cm3/gである請求項１又は２に記載のメソポーラスシリカ。
【請求項４】
界面活性剤が、食品グレードである、請求項１〜３のいずれか１項に記載のメソポーラスシリカ。
【請求項５】
Aがサポニンファミリーの界面活性剤であり、およびBがシリカの前駆体であるような成分AとBが水を含む溶媒中で混合されるメソポーラスシリカの製造方法。
【請求項６】
シリカの前駆体は、
式Si(OR1)(OR2)(OR3)(OR4)で表され、式中R1、R2、R3、R4は独立して、アルキル、ヒドロキシル、グリコール、トリメチル-1,2,3,4-テトラヒドロナフタレン、1,1,1,3,3,3-ヘキサフルオロプロパン-2-イル、ジメチルシリル、トリメチルシリル、エトキシシリル及びトリブトキシシリルグループ、ジエトキシ（メトキシ）シリル、トリメトキシシリル、エトキシ（ジメトキシ）シリル、ブトキシ（ジプロポキシ）シリル、トリプロポキシシリル、ジエトキシ（トリメチルシリルオキシ）シリル、エトキシビス（トリメチルシリルオキシ）シリル、メチル-ビス（トリメチルシリルオキシ）シリル、ブトキシビス（トリメチルシリルオキシ）シリル、ジエトキシ（トリエトキシシリルオキシ）シリル、ジメチル（ビニル）シリル、トリメチルシリルオキシ、（3-メチルペントキシ）シリル、4,7,7-トリメチル-3-ビシクロ[2.2.1]ヘプタニル、2,2,4-トリメチル-3-ビシクロ[2.2.1]ヘプタニル、プロパン-2-イルオキシ-ビス（トリメチルシリルオキシ）シリル、ジブトキシ（トリメチルシリルオキシ）シリル、トリメチルトリメトキシシリル、ジブトキシ（エテニル）シリル、ジエチルビス（トリメチルシリル）、（ブタン-2-イルオキシ）シリル、ジアセチルオキシ- [（2-メチルプロパン-2-イル）オキシ]シリル、アセチルオキシ（ジエトキシ）シリル、4-（ジメチルアミノ）フェニル、4-（ジメチルアミノ）フェニル、2-（ジエチルアミノ）エチル、ピリジン-3-イル、2-メチルプロパン-2-イル）オキシ、2,2,3,3,4,4,5,5,6,6,7,7-ドデカフルオロヘプチル、トリクロロ-2-エチルブトキシ、シクロノニル、1-メトキシプロパン-2-イル、2-（2-メトキシエトキシ）エチル、2-ブトキシエチル、2-エトキシエチル、2-メトキシエチル、アセチル、アセチルオキシ（ジプロポキシ）シリル、5-メチル-2-プロパン-2-イルシクロヘキシル、ブタン-2-イルオキシ、メチルフェニル、シクロヘキシル、2-アミノエチル、フェニル、プロプ-2-エニル、2-フルオロエチル、アセテート、またはトリヒドロキシシリルオキシから選択され、または
式xSiO2:MyOで表され、式中、Mは、１以上の金属原子、１以上の遷移金属原子、１以上の非金属原子、メチルアンモニウム、アクチニドであり、yは１または２または３または４およびxはSiO2/MyOモル比である、請求項５に記載の製造方法。
【請求項７】
界面活性剤が、臨界ミセル濃度の１〜１０００倍のミセル濃度を得るのに十分な量で溶媒に添加される、請求項５または６に記載の方法。
【請求項８】
シリカの前駆体は、シリカの前駆体の量と構造化剤の量比が０．５〜５０となるのに十分な量で溶媒に添加される、請求項５〜７のいずれか１項に記載の方法。
【請求項９】
溶媒の温度が１５℃〜３５℃に保たれる、請求項５〜８のいずれか１項に記載の方法。
【請求項１０】
溶媒のｐHが７以下である、請求項５〜９のいずれか１項に記載の方法。
【請求項１１】
混合物を最低温度２０℃で少なくとも５時間放置し、その後にろ過工程を行い、それによって固体産物ａを得る、請求項５〜１０のいずれか１項に記載の方法。
【請求項１２】
混合物を最低温度２０℃で少なくとも１０分間撹拌し、撹拌後に混合物の蒸発および／または吸引を行い、それによって固体産物ｂを得る、請求項５〜１１のいずれか１項に記載の方法。
【請求項１３】
産物ａおよび／または産物ｂを大気圧下のエタノール溶液で少なくとも１回洗浄する、請求項１１〜１２のいずれか１項に記載の方法。
【請求項１４】
洗浄された産物は、加圧下で少なくとも１回の乾燥工程に供される、請求項１３に記載の方法。
【請求項１５】
食物もしくは飼料若しくは化粧品で使用するための、請求項１〜４のいずれか１項に記載のメソポーラスシリカの使用。
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
水和可能なセメント質組成物中で低範囲ないし中範囲の減水を達成する方法であって、
水及びセメントを混合し、水対セメント（ｗ／ｃ）比が少なくとも０．４４、そして０．８０以下である、水和可能なセメント質混合物を形成する工程、
さらに、前記水及びセメントと、以下のモノマー成分（Ａ）、（Ｂ）、（Ｃ）、および場合により（Ｄ）から形成される少なくとも１つの櫛形カルボキシレートコポリマーを混合する工程、
を含む方法：
（Ａ）構造式
【化１】
2019514832.tif 000001
［式中、Ｒ１およびＲ２は個々に水素原子またはメチル基を表わし、Ｒ３は水素または−ＣＯＯＭ基を表わし、Ｍは水素原子またはアルカリ金属を表わし、ＡＯは２ないし４個の炭素原子を有するオキシアルキレン基またはそれらの混合物を表わし、「ｍ」は０ないし２の整数を表わし、「ｎ］は０または１の整数を表わし、「ｏ」は０ないし４の整数を表わし、「ｐ」はオキシアルキレン基の平均数を表わし、かつ、８ないし２５の整数であり、並びにＲ４は水素原子またはＣ１ないしＣ４アルキル基を表わす］により表わされる第１のポリオキシアルキレンモノマーと、
（Ｂ）構造式
【化２】
2019514832.tif 000002
［式中、Ｒ１およびＲ２は個々に水素原子またはメチル基を表わし、Ｒ３は水素または−ＣＯＯＭ基を表わし、Ｍは水素原子またはアルカリ金属を表わし、ＡＯは２ないし４個の炭素原子を有するオキシアルキレン基またはそれらの混合物を表わし、「ｍ」は０ないし２の整数を表わし、「ｎ］は０または１の整数を表わし、「ｏ」は０ないし４の整数を表わし、「ｑ」はオキシアルキレン基の平均数を表わし、かつ、２０ないし１００の整数であり、並びにＲ４は水素原子またはＣ１ないしＣ４アルキル基を表わす］により表わされる第２のポリオキシアルキレンモノマーと、
（Ｃ）構造式
【化３】
2019514832.tif 000003
［式中、Ｒ５およびＲ６は個々に水素原子またはメチル基を表わし、Ｒ７は水素原子、Ｃ（Ｏ）ＯＲ８またはＣ（Ｏ）ＮＨＲ８を表わし、Ｒ８はＣ１ないしＣ４アルキル基を表わし、そしてＭは水素原子またはアルカリ金属を表わす］により表わされる不飽和カルボン酸モノマーと、場合により
（Ｄ）構造式
【化４】
2019514832.tif 000004
［式中、Ｒ９、Ｒ１０およびＲ１１はそれぞれ独立して、水素原子、メチル基またはＣ（Ｏ）ＯＨを表わし、ＸはＣ（Ｏ）ＮＨ２、Ｃ（Ｏ）ＮＨＲ１２、Ｃ（Ｏ）ＮＲ１３Ｒ１４、Ｏ−Ｒ１５、ＳＯ３Ｈ、Ｃ６Ｈ４ＳＯ３ＨまたはＣ（Ｏ）ＮＨＣ（ＣＨ３）２ＣＨ２ＳＯ３Ｈまたはそれらの混合物を表わし、Ｒ１２、Ｒ１３、Ｒ１４、およびＲ１５は、それぞれ独立して、Ｃ１ないしＣ５アルキル基を表わす］により表わされる不飽和の、水溶性モノマーと
から形成され、
ただし、成分（Ａ）の成分（Ｂ）に対するモル比は１５：８５ないし８５：１５であり、そして更に成分（Ｃ）の、成分（Ａ）および成分（Ｂ）の和に対するモル比は９０：１０ないし５０：５０であり、
成分（Ｂ）の第２のポリオキシアルキレンモノマー中の「ｑ」と、成分（Ａ）の第１のポリオキシアルキレンモノマー中の「ｐ」との間の差は、少なくとも８の整数であり、
前記方法によって調製される、コンクリート中水含有量は１２％未満に減少され、その一方前記ポリマーで処理しないコンクリート混合物と比較して同じスランプを達成する。
【請求項２】
成分（Ａ）または成分（Ｂ）中の「ｍ」、「ｎ」および「ｏ」は、それぞれ、０、１および０の整数である、請求項１の方法。
【請求項３】
成分（Ａ）の第１のポリオキシアルキレンモノマー中の「ｐ」と、成分（Ｂ）の第２のポリオキシアルキレンモノマー中の「ｑ」との和は１２０以下である、請求項１の方法。
【請求項４】
前記少なくとも一つのカルボキシレートコポリマーは、更に、成分（Ｄ）モノマーを使用する重合から誘導される構成基を含み、そして成分（Ｄ）から誘導される構成基の、成分（Ａ）、成分（Ｂ）および成分（Ｃ）から誘導される構成基の和に対するモル比は、１：９９ないし２０：８０である、請求項１の方法。
【請求項５】
前記少なくとも１種の櫛形カルボキシレートコポリマーは１０，０００ないし４０，０００の重量平均分子量を有する、請求項１の方法。
【請求項６】
前記櫛形カルボキシレートコポリマーの有効量は、セメントの０．０４ないし０．１４重量％である、請求項１の方法。
【請求項７】
前記セメントおよび水に、グルコン酸またはその塩、アルカノールアミン、脱気剤、空気連行剤およびこれらの混合物からなる群から選択される少なくとも１種の添加剤を添加する工程を更に含む、請求項１の方法。